(57)【要約】      （修正有）【課題】什器本体に従来の棚板と同様に任意の場所に簡単に取り付けることができ、他の場所への移動が自由に行える上、商品の出し入れが容易で、内部の視認性がよいショーケースを提供する。【解決手段】多数の棚１０３を並べて取り付けるための棚取付部１０２を有する什器本体１００に着脱可能なショーケース１であって、天板、底板、背板及び左右の側板からなり、内部に商品の陳列空間が形成され、前方に開口部が設けられたケース本体２と、ケース本体に開口部を開閉可能に取り付けられ、陳列空間を透視可能な透明部２８を有する扉３と、背板、左右の側板、底板のいずれかに設けられ、什器本体の棚取付部に取り付け可能な取付部材４とを備える。扉３を取り付けたケース本体２を什器本体１００の棚取付部１０２に取付部材４を介して着脱可能にした。【選択図】図１０
0003204025.tif 000002
【実用新案登録請求の範囲】
【請求項１】
多数の棚を並べて取り付けるための棚取付部を有する什器本体に着脱可能なショーケースであって、
天板、底板、背板及び左右の側板からなり、内部に商品の陳列空間が形成され、前方に開口部が設けられたケース本体と、
前記ケース本体に前記開口部を開閉可能に取り付けられ、前記陳列空間を透視可能な透明部を有する扉と、
前記背板、前記左右の側板、前記底板のいずれかに設けられ、前記什器本体の前記棚取付部に取り付け可能な取付部材とを備え、
前記扉を取り付けた前記ケース本体を前記什器本体の前記棚取付部に前記取付部材を介して着脱可能にしたことを特徴とするショーケース。
【請求項２】
前記什器本体の棚取付部が、前記什器本体の支柱の前面に上下方向に一定間隔で形成された複数の係合孔であり、
前記取付部材は、前記係合孔に係合する係合部を有し、前記背板又は前記左右の側板に取り付けられていることを特徴とする請求項１に記載のショーケース。
【請求項３】
前記什器本体の棚取付部は、前記什器本体の支柱の側面に上下方向に一定間隔で形成された複数の係合孔であり、
前記取付部材は、前記係合孔に係合する係合部と、前記ケース本体の前記左右の側板を載置して支持する支持部とを有することを特徴とする請求項１に記載のショーケース。
【請求項４】
前記天板の前縁に設けた枠の内側に前記陳列空間を照明する照明具を装着したことを特徴とする請求項１から３のいずれかに記載のショーケース。
【請求項５】
前記ケース本体の少なくとも前記天板に前記陳列空間を透視可能な透明部を設けたことを特徴とする請求項１から４のいずれかに記載のショーケース。
【請求項６】
前記扉の左端及び右端に、前記ケース本体の前記左右の側板に沿って延びる左右の側部を有し、前記左右の側部を前記ケース本体の前記左右の側板に支軸を介して回動可能に取り付けたことを特徴とする請求項１から５のいずれかに記載のショーケース。
【請求項７】
前記扉の左右の側部の上部に、前記扉の前面に平行に延びる長孔が形成され、前記長孔の第１端と第２端の間に、前記長孔に直角方向に延びる係合孔が形成され、前記左右の側部の上端に、前記長孔の延長線上に位置する切欠きが形成され、
前記扉を閉鎖した時に、前記支軸が前記長孔の第１端に係止して、前記扉を閉鎖状態に支持し、
前記扉を閉鎖状態から上方に持ち上げて手前に引いた時に、前記支軸が前記係合孔に係止して、前記扉を開放可能状態に支持し、
前記扉を開閉可能状態から前記支軸を中心に回動して水平に開放し、前記ケース本体に向かって押し込んだ時に、前記支軸が前記長孔の第２端に係止するとともに、前記ケース本体の前記左右の側板に設けたストッパーが前記切欠きに係止して、前記扉を水平開放状態に保持することを特徴とする請求項６に記載のショーケース。
【考案の詳細な説明】
【技術分野】
【０００１】
本考案は、ＣＤ、ＤＶＤ等を陳列する陳列棚を有する什器に着脱可能なショーケースに関する。
【背景技術】
【０００２】
ＣＤ、ＤＶＤ、コミック等のレンタル商品を陳列する店舗では、商品に関連グッズが付属している場合、例えば盗難防止のため、関連グッズ自体は陳列せずに、関連グッズのケースのコピーや空き箱を商品とともに陳列している。関連グッズを見たい客は、レジに行って内容を確認できる。
【０００３】
また、中古の書籍、コミック、ゲームソフト、音楽ＣＤ等のリサイクル品を陳列する店舗では、例えばコミック本に関連するフィギュアやＤＶＤ等を同時販売する場合、一般の陳列棚の横に特別に設置したショーケースにまとめて収容されて陳列されている。また、ゲーム機、パソコン、スマホ・携帯、貴金属、ブランド品等の高価な商品は、脚付きの独立したガラス製のショーケースに収容してカギがかけられ、店員の目につきやすいように、レジ近くに設置されたり、ショーケースコーナーに集中して設置されている。
【０００４】
従来のショーケースは独立して床に設置するものであり、陳列棚とは別に設置せざるを得ないが、店舗側には陳列の商品と関連する商品をショーケースに収容して近くに配置することで、購買意欲をそそるようにしたい場合がある。例えば、新作ビデオに関連する音楽ＣＤやフィギュア、書籍等を収容したショーケースを新作ビデオの近くに設置することが考えられるが、このような配置は店舗内の客の通行の邪魔になる等、スペース的に無理があった。陳列棚の端に設置するとしても、新作ビデオから離れてしまうので、購買意欲をそそる配置にはならなかった。
【０００５】
従来、特許文献１には、棚板を併設可能なショーケースが提案されている。このショーケースは什器本体のベース台の上に、側枠、引戸セット、側板、天板、レール部材、棚板を組み立てるものである。ショーケースを組み立てない部分の什器本体の支柱には従来の棚板を設けることができるとされている。
【先行技術文献】
【特許文献】
【０００６】
【特許文献１】特開２００８−１４９０１２号公報
【考案の概要】
【考案が解決しようとする課題】
【０００７】
しかし、特許文献１のショーケースは什器本体に各部材を組み付けてゆくので、設置作業は時間がかかり、煩雑である。また、什器本体のベース台上に設置するものであるので、設置場所が限られるうえ、一旦設置すれば、移動が困難であるという問題がある。また、特許文献１のショーケースは２枚の引戸体の重なり部があり、この重なり部に係止具やカギを付けるため、内部の視認性が悪いという問題がある。
【０００８】
本考案、かかる従来の問題点に鑑みてなされたもので、什器本体に従来の棚板と同様に任意の場所に簡単に取り付けることができ、他の場所への移動が自由に行えるうえ、商品の出し入れが容易で、内部の視認性がよいショーケースを提供することを課題とする。
【課題を解決するための手段】
【０００９】
前記課題を解決するため、本考案は、
（１）多数の棚を並べて取り付けるための棚取付部を有する什器本体に着脱可能なショーケースであって、
天板、底板、背板及び左右の側板からなり、内部に商品の陳列空間が形成され、前方に開口部が設けられたケース本体と、
前記ケース本体に前記開口部を開閉可能に取り付けられ、前記陳列空間を透視可能な透明部を有する扉と、
前記背板、前記左右の側板、前記底板のいずれかに設けられ、前記什器本体の前記棚取付部に取り付け可能な取付部材とを備え、
前記扉を取り付けた前記ケース本体を前記什器本体の前記棚取付部に前記取付部材を介して着脱可能にしたものである。
【００１０】
本考案のショーケースは、什器本体に従来の棚板が取り付けてあっても、扉を取り付けたケース本体を什器本体の棚取付部に取付部材を介して取り付けることができ、また取り付けたショーケースを取り外したり、他の位置に取り付けることができる。ショーケースの扉は、ショーケースを什器本体に取り付けた状態で、開閉し、内部の陳列空間に陳列物を収容することができる。
【００１１】
（２）前記什器本体の棚取付部が、前記什器本体の支柱の前面に上下方向に一定間隔で形成された複数の係合孔であり、
前記取付部材は、前記係合孔に係合する係合部を有し、前記背板又は前記左右の側板に取り付けられていることが好ましい。
これによれば、支柱の前面に棚取付部を有する従来の陳列用什器にも本考案のショーケースを取り付けることができる。
【００１２】
（３）前記什器本体の棚取付部は、前記什器本体の支柱の側面に上下方向に一定間隔で形成された複数の係合孔であり、
前記取付部材は、前記係合孔に係合する係合部と、前記ケース本体の前記左右の側板を載置して支持する支持部とを有することが好ましい。
これによれば、支柱の側面に棚取付部を有する従来の陳列用什器にも本考案のショーケースを取り付けることができる。
【００１３】
（４）前記天板の前縁に設けた枠の内側に前記陳列空間を照明する照明具を装着することが好ましい。これによれば、陳列空間に収容した陳列物を照明して見やすくすることができる。
【００１４】
（５）前記ケース本体の少なくとも前記天板に前記陳列空間を透視可能な透明部を設けることが好ましい。これによれば、ショーケースの上方から光を取り入れることができるので、内部を明るくすることができ、また扉の正面だけでなく上方からも内部の陳列物を見ることができる。
【００１５】
（６）前記扉の左端及び右端に、前記ケース本体の前記左右の側板に沿って延びる左右の側部を有し、前記左右の側部を前記ケース本体の前記左右の側板に支軸を介して回動可能に取り付けることが好ましい。
これによれば、扉の支持部分がケース本体の正面から見えないので、すっきりとした外観を保つことができるうえ、扉の一部がケース本体の内部に入り込まないので、内部陳列空間を広くとることができる。
【００１６】
（７）前記扉の左右の側部の上部に、前記扉の前面に平行に延びる長孔が形成され、前記長孔の第１端と第２端の間に、前記長孔に直角方向に延びる係合孔が形成され、前記左右の側部の上端に、前記長孔の延長線上に位置する切欠きが形成され、
前記扉を閉鎖した時に、前記支軸が前記長孔の第１端に係止して、前記扉を閉鎖状態に支持し、
前記扉を閉鎖状態から上方に持ち上げて手前に引いた時に、前記支軸が前記係合孔に係止して、前記扉を開放可能状態に支持し、
前記扉を開閉可能状態から前記支軸を中心に回動して水平に開放し、前記ケース本体に向かって押し込んだ時に、前記支軸が前記長孔の第２端に係止するとともに、前記ケース本体の前記左右の側板に設けたストッパーが前記切欠きに係止して、前記扉を水平開放状態に保持することが好ましい。
これによれば、ショーケースの上方に従来の棚板が存在していても、扉を開閉することができ、陳列物の出し入れが容易である。
【考案の効果】
【００１７】
本考案によれば、什器本体に従来の棚板が取り付けてあっても、扉を取り付けたケース本体を什器本体の棚取付部に取付部材を介して着脱可能であるため、什器本体に従来の棚板と同様に任意の場所に簡単に取り付けることができ、他のジャンルの棚への移動が自由に行える。また、ケース本体の前面に扉があるので、商品の出し入れが容易である。さらに、扉に透明部を有するので、内部の視認性がよい。
【００１８】
また、本考案のショーケースは、従来の棚板に上下又は左右に隣接して取り付けることができるため、従来の棚板に設置したＣＤやＤＶＤと関連するフィギュア、ゲーム機等の商品を直ぐ傍に陳列することができ、ＣＤやＤＶＤとともに関連商品に対する客の購買意欲をそそることができる。
【図面の簡単な説明】
【００１９】
【図１】本考案に係るショーケースの斜視図。
【図２Ａ】図１のショーケースの平面図（ａ）、正面図（ｂ）、底面図（ｃ）。
【図２Ｂ】図１のショーケースの背面図（ｄ）、左側面図（ｅ）、右側面図（ｆ）。
【図３】図１のショーケースの扉を水平に開放し保持した状態を示す正面側から見た斜視図。
【図４】図１のショーケースの扉を水平に開放し保持した状態を示す背面側から見た斜視図。
【図５】図１のショーケースの扉を取り外した状態を示す斜視図。
【図６】ケース本体の展開図。
【図７】扉の展開図。
【図８】透明樹脂板の押さえ部材を示す拡大断面図。
【図９】扉のヒンジ部の拡大図。
【図１０】図１のショーケースを什器本体に取り付ける状況を示す斜視図。
【図１１】図１のショーケースの縦断面図。
【図１２】図１のショーケースを什器本体に設置した状態を示す斜視図。
【図１３】図１のショーケースの扉の開閉動作を順に示す側面図。
【図１４】他の実施形態の取付部材を用いるショーケースの部分斜視図。
【図１５】さらに他の実施形態の取付部材を用いるショーケースの部分斜視図。
【考案を実施するための形態】
【００２０】
以下、本考案の実施形態を添付図面に従って説明する。  
【００２１】
図１〜図４は、ＣＤ、ＤＶＤ、ゲームソフト等を陳列する什器本体１００に着脱可能な本考案に係るショーケース１を示し、図１は斜視図、図２Ａ（ａ），（ｂ），（ｃ）は、当該ショーケースの平面図、正面図、底面図であり、図２Ｂ（ｃ），（ｄ），（ｅ）は、当該ショーケース１の背面図、左側面図、右側面図、図３は扉を開いた状態のショーケースの正面側から見た斜視図、図４は扉を開いた状態のショーケースの背面側から見た斜視図である。
【００２２】
ショーケース１は、図５に示すように、ケース本体２と、扉３と、取付部材４とからなっている。なお、本明細書では、ショーケース１の正面の手前側を前、奥側を後又は背といい、ショーケース１の上側を天、下側を底という。また、上及び下、左及び右の各方向は、ショーケース１の正面を基準にして見る方向を示す。
【００２３】
ケース本体２は、天板５、底板６、背板７及び左側板８、右側板９からなる横長の立方体形状を有している。ケース本体２は、従来の棚と同じ幅と奥行きを有し、従来の上下の棚の間に挿入できる高さを有している。図６に示すように、ケース本体２は、矩形の背板７の４辺に、天板５、底板６、左右の側板８，９をそれぞれ延設した厚さ１ｍｍの薄板鋼板等の金属製の板材を破線部で折り曲げ加工し、天板５の両端設けた溶接代１０と左右の側板８，９、底板６の両端に設けた溶接代１１と左右の側板８，９をそれぞれスポット溶接することにより、図５に示すように前方に開口部１２を有する箱状に形成したものである。ケース本体２の内部には、商品Ｇの陳列空間１３が形成されている。天板５の前縁には補強用の上リブ１４、底板６の前縁にも補強用の下リブ１５が設けられている。
【００２４】
背板７の四隅には、後述する照明具３５の電源コード１６を通すための配線孔１７が形成されている（図５には１つの配線孔１７のみが見えている）。
天板５には、ほぼ全面に窓孔１８が形成され、該窓孔１８はケース本体２の内部を外部から視認できるように厚さ１ｍｍのアクリル樹脂等の透明樹脂板１９で内側から塞がれている。透明樹脂板１９は、ケース本体２の内側から窓孔１８の縁に接着されている。窓孔１８の長手方向の縁の内面には、透明樹脂板１９の脱落を防止するため、図８に示すような、押さえ部材２０を部分的に又は全長に亘って設けることが好ましい。
底板６には、前縁部の中央と両端の３箇所に、長円形状の孔６ａが形成されている。底板６に設けられた下リブ１５の中央と両端の３箇所にも孔１５ａが形成されている。
左右の側板８，９の上部の前側には、ネジからなる支軸２１がネジ孔２１ａに取り付けられている。支軸２１の後側には、支軸２１と同じ高さ位置に支軸２１と同じネジからなるストッパー２２がネジ孔２２ａに取り付けられている。
【００２５】
扉３は、扉本体２３と、左側部２４、右側部２５と、リブ２６とからなる矩形形状を有している。図７に示すように、扉３は、矩形の扉本体２３の左右の辺に左右の側部２４，２５、上辺にリブ２６を延設した厚さ１ｍｍの薄板鋼板等の金属製の板材を破線部で折り曲げ加工したものである。
【００２６】
扉本体２３は、ショーケース１の開口部１２を完全に閉鎖できるように、開口部１２より僅かに大きい大きさに形成されている。扉本体２３には、ほぼ全面に窓孔２７が形成され、該窓孔２７はケース本体２の内部を外部から視認できるように厚さ１ｍｍのアクリル樹脂等の透明樹脂板２８で内側から塞がれている。透明樹脂板２８は、扉３の内側から窓孔２７の縁に接着されている。ケース本体２の天板５の窓孔１８と同様に、扉本体２３の窓孔２７の長手方向の縁の内面には、透明樹脂板２８の脱落を防止するため、図８に示すような、押さえ部材２０を部分的に又は全長に亘って設けることが好ましい。
扉本体２３の下縁部の中央と両端の３箇所には、ケース本体２の底板６の孔６ａと、下リブ１５の孔１５ａとに対応する孔２３ａが形成されている。これらの孔６ａ，１５ａ，２３ａは、必要に応じて鍵を通す等のセキュリティを施すためのものである。
【００２７】
左右の側部２４，２５の上部には、扉本体２３の前面に平行（扉が閉鎖状態にあるときは上下方向）に延びる長孔２９と、該長孔２９の延長線上の位置に上端からＵ字形に切り欠かれた切欠き３０とが形成されている。
【００２８】
図９に示すように、長孔２９は、ケース本体２の支軸２１が嵌入するように支軸２１の軸径より僅かに大きい幅を有している。長孔２９の第１端２９ａ（扉が閉鎖状態にあるときの上端）は、半円状に形成され、支軸２１がこの第１端２９ａを支持したときに、扉本体２３の上端がケース本体２の天板５と一致し、扉本体２３の下端がケース本体２の底板６と一致するように、位置が定められている。長孔２９の第２端２９ｂ（扉が閉鎖状態にあるときの下端）は、半円状に形成されている。長孔２９の第１端２９ａの中心から第２端２９ｂの中心までの距離Ａは、ケース本体２の支軸２１とストッパー２２との距離Ｂより短く設定されている。
【００２９】
長孔２９の第１端２９ａと第２端２９ｂの間には、長孔２９に直角方向に後方に向かって延びる係合孔３１が形成されている。係合孔３１は、ケース本体２の支軸２１が嵌入するように支軸２１の軸径より僅かに大きい幅を有している。係合孔３１の奥端は半円形状に形成され、係合孔３１の長さは、支軸２１がこの係合孔３１に係合したときに、扉３を支持できる長さに設定されている。係合孔３１の奥端から側部２４，２５の上端角部までの距離Ｃは、扉３が係合孔３１の奥端にある支軸２１を中心に回動して扉３が開放されるとき、側部２４，２５の上端角部がストッパー２２に接触しないように、ケース本体２の支軸２１とストッパー２２との距離Ｂより短く設定されている。
【００３０】
切欠き３０は、ケース本体２のストッパー２２が嵌入するようにストッパー２２の径より僅かに大きい幅を有している。切欠き３０の奥端（扉が閉鎖状態にあるときの下端）は、半円形状に形成されている。切欠き３０の長さは、ストッパー２２がこの切欠き３０に係合したときに、扉３を十分に支持できる長さに設定されている。切欠き３０の奥端の中心と、長孔２９の第２端２９ｂの中心との間の距離Ｄは、ケース本体２の支軸２１とストッパー２２の間の距離Ｂと同じである。
【００３１】
取付部材４は、図４に示すように、ケース本体２の背板７の左右両端部に取り付けられている。取付部材４は、金属製で、背板７に平行な矩形板状のベース３２と、該ベース３２の側縁から後方に延びるブラケット３３からなり、平面視でＬ字形に形成されている。取付部材４のベース３２は、スポット溶接又はネジで背板７に取り付けられている。ブラケット３３の先端には、図１０に示すように、什器本体１００の支柱１０１の係合孔１０２に係合する３つの係合片３４が形成されている。この係合片３４を有するブラケット３３は従来の棚板のブラケットと同一の形状であるので、詳細な説明は省略する。なお、取付部材４は、そのベース３２の形状を適宜変更することにより、ケース本体２の背板７に限らず、左右の側板８，９や底板６に取り付けることも可能である。
【００３２】
ケース本体２の内部の陳列空間１３には、必要に応じて、内部の陳列空間１３を照明して商品Ｇを美しく明瞭に陳列するために、ＬＥＤテープライト、スポットライト等の照明具３５を設けることができる。照明具３５は、図１１に示すように、ケース本体２の天板５の前縁の内面、すなわち窓孔１８の縁の内面に貼り付けることが好ましい。ショーケース本体２の底板６の前縁の内面に取り付けて、商品Ｇを下からスポットライトを当てるようにしてもよい。照明具３５の電源コード１６は、ケース本体２の内部から背板７の配線孔１７に通して外部に引き出すことができる。
【００３３】
以上の構成からなるショーケース１は、扉３を取り付けたケース本体２を什器本体１００の支柱１０１の係合孔１０２に取付部材４を介して着脱可能に取り付けることができる。このショーケース１の取り付けは、什器本体１００に取り付ける従来の棚板と同様である。したがって、本考案のショーケース１は、図１２に示すように、什器本体１００の従来の棚１０３の上方に取り付けたり、従来の棚１０３と棚１０３の間に取り付けたり、従来の棚１０３の横に取り付けることも可能である。空いた従来の棚１０３を取り外して、代わりに本考案のショーケース１を取り付けることもできる。また、本考案の複数のショーケース１を上下、左右に並べて什器本体１００に取り付けることも可能である。
【００３４】
図１３は、什器本体１００に取り付けられた本考案のショーケース１の扉の開閉の動作を示す。図１３（ａ）の状態では、ケース本体２の支軸２１が扉３の長孔２９の第１端２９ａに係止し、扉３を閉鎖状態に支持している。この閉鎖状態では、扉３の扉本体２３とリブ２６の内面がケース本体２の天板５の前縁、上リブ１４、左右側板８，９の前端面に当接しているので、支軸２１を中心に回動しようとしても、扉３を開放させることはできない。
【００３５】
扉３を開くには、図１３（ａ）の扉閉鎖状態から、扉３を上方に持ち上げ手前に引くことで、図１３（ｂ）に示すように、長孔２９の中央にある係止孔３１に支軸２１を係止して、扉３の内面をケース本体２から離し、扉３を開放可能状態にする。図１３（ｂ）の開放可能状態から、支軸２１を中心に図において半時計周りに回動するように扉３を上方に開き、図１３（ｃ）に示すように水平に開放した後、ケース本体２に向かって押し込むことで、図１３（ｄ）に示すように、扉３を水平開放状態にすることが可能である。扉３を閉じるには、逆の動作で可能である。この扉３の開閉動作は、ショーケース１の上下に従来の棚１０３や本考案の別のショーケース１が存在していても行うことができる。水平開放状態では、内部の陳列空間１３に商品Ｇを収容して陳列したり、商品Ｇを補充したり、入れ替えたりすることができるうえ、照明具３５の調整やメンテナンスも行うことができる。
【００３６】
なお、以上の実施形態は、支柱１０１の前面に上下方向に一定間隔で形成された複数の係合孔１０２を有する什器本体１００に取り付け可能なショーケース１であるが、本考案のショーケース１は、このような什器本体１００に限らず、支柱１０１の側面に上下方向に一定間隔で形成された複数の係合孔（不図示）を有する什器本体にも取り付けることができる。
【００３７】
例えば、図１４に示すように、ケース本体２の左右の側板８，９に、複数の長孔３６を上下に一定間隔で設け、この長孔３６のいずれかに取付部材３７の支持部３７ａを設置場所に合わせた高さになるように図示しないネジで固定し、取付部材４ａから突出する係合部３７ｂを什器本体の支柱の係合孔（不図示）に係合することにより、ショーケース１を取り付けることができる。
【００３８】
また、図１５に示すような公知の取付部材３８を用いることもできる。取付部材３８は、什器本体の支柱の係合孔（不図示）に係合する係合部３８ａ、３８ｂと、ケース本体２を載置して支持する支持部３８ｃとを有する。
【符号の説明】
【００３９】
Ｇ  商品
１  ショーケース
２  ケース本体
３  扉
４  取付部材
５  天板
６  底板
７  背板
８  左側板
９  右側板
１２  開口部
１３  陳列空間
１９  透明樹脂板（透明部）
２１  支軸
２２  ストッパー
２３  扉本体
２４  左側部
２５  右側部
２８  透明樹脂板（透明部）
２９  長孔
２９ａ  第１端
２９ｂ  第２端
３０  切欠き
３１  係合孔
３４  係合片
３５  照明具
３７  取付部材
３７ａ  係合部
３７ｂ  支持部
３８  取付部材
３８ａ  係合部
３８ｂ  係合部
３８ｃ  支持部  
１００  什器本体
１０１  支柱
１０２  係合孔（棚取付部）
１０３  従来の棚    
【図１】
0003204025.tif 000003
【図２Ａ】
0003204025.tif 000004
【図２Ｂ】
0003204025.tif 000005
【図３】
0003204025.tif 000006
【図４】
0003204025.tif 000007
【図５】
0003204025.tif 000008
【図６】
0003204025.tif 000009
【図７】
0003204025.tif 000010
【図８】
0003204025.tif 000011
【図９】
0003204025.tif 000012
【図１０】
0003204025.tif 000013
【図１１】
0003204025.tif 000014
【図１２】
0003204025.tif 000015
【図１３】
0003204025.tif 000016
【図１４】
0003204025.tif 000017
【図１５】
0003204025.tif 000018